(57)【要約】      （修正有）【課題】カーテン生地の表面側のミシン目が目立ちにくく、洗濯可能であると共に、昇降させやすいカーテンを提供する。【解決手段】カーテン１は、フラット形状からなるカーテン生地２の裏面側に、カーテンの幅方向Ｗに延設された布帛４を接着層で固着して形成された収納部７が、カーテンの丈方向Ｌに離間した状態で少なくとも２つ以上配置され、収納部の少なくとも一部に挿入口Ｘが開いており、収納部内にはマグネットバーが収納され、マグネットバーの少なくとも一部には、マグネットバーの一方の面がＮ極、他方の面がＳ極となるように磁石が配置され、磁石の向きはカーテン生地の表面側で同じ極になっている。【選択図】図１
0003228544.tif 000002
【実用新案登録請求の範囲】
【請求項１】
フラット形状からなるカーテン生地の裏面側に、カーテンの幅方向に延設された布帛を接着層で固着して形成された収納部が、カーテンの丈方向に離間した状態で少なくとも２つ以上配置され、
前記収納部の少なくとも一部には挿入口が開いており、
前記収納部内にはマグネットバーが収納されており、
前記マグネットバーの少なくとも一部には、該マグネットバーの一方の面がＮ極、該マグネットバーの他方の面がＳ極となるように磁石が配置されており、
前記磁石の向きが前記カーテン生地の表面側で同じ極になることを特徴とするカーテン。
【請求項２】
前記カーテン生地の表面側で一番下のマグネットバーの上部に取手を備えている請求項１に記載のカーテン。
【考案の詳細な説明】
【技術分野】
【０００１】  本考案は、カーテン生地を簡単に昇降させることができるカーテンに関する。
【背景技術】
【０００２】  通常、チェーンや巻き上げ機構などの昇降装置により昇降可能なカーテンとして、生地（ファブリック）を仕立てたシェード、幕体を昇降器具に取り付けて上下に開閉を行うローマンシェードや、フラットなスクリーンを上部に巻き上げの機構で上下に開閉させるロールスクリーンなどが挙げられる。【０００３】  チェーンや巻き上げ機構などの昇降装置により、カーテン生地を昇降させることができるカーテンは高価になりがちである。そのため、チェーンや巻き上げ機構などの昇降装置を用いることなく、簡易的にカーテン生地を昇降させることができるカーテンが求められている。【０００４】  特許文献１においては、カーテン地と、このカーテン地の裏面において、所定の間隔をおいて横一列に配置され、ぞれぞれの上端がカーテン地に直接または間接に係合された複数の紐状部材と、上記カーテン地の裏面における上記紐状部材の係合箇所よりも下方に形成され、各紐状部材の下端が挿通される複数の環状部と、上記紐状部材の下端に着脱自在に装着されるストッパーとを備え、各ストッパーを紐状部材に沿って上方向に摺動させることにより、上記環状部が上方向に移動してカーテン地の一部が折り込まれ、任意の位置でストッパーを紐状部材に係止することにより、カーテン地の丈寸法が固定されることを特徴とするカーテンが開示されている。【０００５】
【特許文献１】特開２００８−１０００３１号公報
【考案の開示】
【考案が解決しようとする課題】
【０００６】  特許文献１のカーテンでは、一般ユーザが自宅において容易に寸法調整が可能であり、一旦調整した寸法を簡単に再調整できる。しかしながら、ストッパーが横一列に配置されているため、一つ一つのストッパーを調整しなくてはならない。したがって、チェーンや巻き上げ機構などの昇降装置を用いてカーテン生地を昇降させるより、装置的には簡易的であるが、手間がかかる恐れがある。また、近年、簡易的にカーテンを昇降可能であると共に、カーテン生地の表面側のミシン目が目立ちにくく、カーテン生地を洗濯することができるカーテンが求められている。【０００７】  本考案は、かかる技術的背景を鑑みてなされたものであって、カーテン生地の表面側のミシン目が目立ちにくく、カーテン生地が洗濯可能であると共に、カーテンを昇降させやすいカーテンを提供することを目的とする。
【課題を解決するための手段】
【０００８】  前記目的を達成するために、本考案は以下の手段を提供する。【０００９】［１］フラット形状からなるカーテン生地の裏面側に、カーテンの幅方向に延設された布帛を接着層で固着して形成された収納部が、カーテンの丈方向に離間した状態で少なくとも２つ以上配置され、
前記収納部の少なくとも一部には挿入口が開いており、
前記収納部内にはマグネットバーが収納されており、
前記マグネットバーの少なくとも一部には、該マグネットバーの一方の面がＮ極、該マグネットバーの他方の面がＳ極となるように磁石が配置されており、
前記磁石の向きが前記カーテン生地の表面側で同じ極になることを特徴とするカーテン。【００１０】［２］前記カーテン生地の表面側で一番下のマグネットバーの上部に取手を備えている前項１に記載のカーテン。
【考案の効果】
【００１１】  ［１］の考案では、フラット形状からなるカーテン生地の裏面側に、カーテンの幅方向に延設された布帛を接着層で固着して形成された収納部が、カーテンの丈方向に離間した状態で少なくとも２つ以上配置されているから、カーテンの表面側のミシン目が目立ちにくく、意匠性に優れたカーテンを得ることができる。また、収納部の少なくとも一部には挿入口が開いており、収納部内にはマグネットバーが収納されているから、収納部の挿入口からマグネットバーを取り出して、カーテン生地を洗濯することもできる。また、マグネットバーの少なくとも一部には、マグネットバーの一方の面がＮ極、マグネットバーの他方の面がＳ極となるように磁石が配置されており、磁石の向きがカーテン生地の表面側で同じ極になるから、上下に隣り合うマグネットバーの磁石同士をくっつけることでき、簡単にカーテン生地を昇降させることができる。【００１２】  ［２］の考案では、カーテン生地の表面側で一番下のマグネットバーの上部に取手を備えているから、カーテンの丈方向で隣り合うマグネットバーの磁石同士をくっつけやすくなり、カーテンを昇降させる作業性が向上する。
【図面の簡単な説明】
【００１３】
【図１】本考案に係るカーテンの一実施形態を示す背面図である。
【図２】本考案に係るカーテンの一実施形態を示す正面図である。
【図３】本考案に係るカーテンの他の実施形態を示す正面図である。
【考案を実施するための最良の形態】
【００１４】  本考案に係るカーテンの一実施形態を説明する。図１に示すように、本考案のカーテン１は、フラット形状からなるカーテン生地２の裏面側に、カーテンの幅方向Ｗに延設された布帛４を接着層で固着して形成された収納部７が、カーテンの丈方向Ｌに離間した状態で少なくとも２つ以上配置され、前記収納部７の少なくとも一部には挿入口Ｘが開いており、前記収納部７内にはマグネットバー３が収納されており、前記マグネットバー３の少なくとも一部には、該マグネットバー３の一方の面がＮ極、該マグネットバー３の他方の面がＳ極となるように磁石が配置されており、前記磁石の向きが前記カーテン生地２の表面側で同じ極になることを特徴とする。なお、図１では、収納部７に収納されたマグネットバー３は、カーテン生地２の裏面側からは見えないので、図示していないだけで、収納部７にマグネットバー３が収納されている。図１はカーテン１を裏面側から見た図である。【００１５】  前記カーテン１は、フラット形状からなるカーテン生地２と、マグネットバー３と、布帛４が接着層で固着されて形成された収納部７とから構成されている。【００１６】  図２に示すように、前記カーテン生地２の形状としては、フラット形状のカーテンである必要がある。なお、フラット形状とは、カーテン１の上部にヒダ山をとらない形状であることを意味する。フラット形状からなるカーテン生地２を用いることで、収納部７にマグネットバー３を収納しやすくなり、カーテン１の丈方向Ｌで隣り合うマグネットバー３の磁石同士をくっつけやすくすることができる。そのため、カーテン生地２として、ドレープ加工されたカーテンを用いることは、収納部７にマグネットバー３を挿入しにくくなるため、好ましくない。図２はカーテン１を表面側から見た図である。【００１７】  図２に示すように、前記カーテン生地２としては、特に限定されるものではないが、例えば、織物であっても、編物であっても構わない。また、カーテン１を表面側から見た時、布帛４が透けて見えない遮光性生地であることが好ましい。なお、図２でマグネットバー３を示したが、カーテン生地２の表面側からはマグネットバー３は見えず、カーテン生地２の表面側が膨らんで見えるだけなので、点線で示す。【００１８】  前記カーテン生地２の上端部５の形状としては、カーテン生地２を吊したり、引っ掛けたりすることができる形状であれば、特に限定されるものではない。例えば、カーテン生地２を支えるためのポールを挿入する袋部であっても、カーテンフックでカーテン生地２を引っ掛けることができる形であっても構わない。中でも、小窓に設置できる点から、カーテン生地２を支えるためのポールを挿入する袋部であることが好ましい。カーテン１の上端部５にヒダ山をとらない形状であることが必要である。【００１９】  前記カーテン生地２の裏面側に、カーテン１の幅方向Ｗに延設された布帛４を接着層で固着して形成された収納部７が、カーテン１の丈方向Ｌに離間した状態で少なくとも２つ以上配置されている必要がある。図１では、前記カーテン生地２の裏面側にカーテン１の丈方向Ｌに離間した状態で４つの収納部７が配置されている。なお、カーテン生地２の表面側に収納部７を設けると、カーテン１の意匠性が悪くなるので、好ましくない。【００２０】  前記収納部７の離間する距離としては、特に限定されるものではないが、例えば、タタミしろが見えないように適切な間隔にすることが好ましい。【００２１】  前記布帛４の材質としては、マグネットバー３を収納することができるものであれば、特に限定されるものではないが、例えば、布テープ、グログランテープ、カーテンと同じ生地、メッシュ状の生地、織物、編物、不織布、合成皮革等が挙げられる。中でも、グログランテープを用いることが好ましい。【００２２】  前記布帛４をカーテン生地２に固着させる方法としては接着層で固着させる必要がある。接着層で固着させることで、カーテン生地２の表面側にミシン目が目立ちにくく、意匠性に優れたカーテンを得ることができると共に、カーテン生地２を洗濯することもできる。【００２３】  前記布帛４は、カーテン１の幅方向Ｗに長く伸びた状態でカーテン生地２の裏面側に固着されている必要がある。【００２４】  前記接着層としては、特に限定されるものではないが、例えば、熱圧着テープ、ホットメルト樹脂等が挙げられ、中でも、熱圧着テープを用いることが好ましい。【００２５】  前記収納部７の形としては、特に限定されるものではないが、長方形であることが好ましい。【００２６】  前記収納部７の少なくとも一部には挿入口Ｘが開いている必要があり、中でも、マグネットバー３を出し入れすることができる程度の挿入口Ｘが開いていることが好ましい。前記収納部７の少なくとも一部にだけ挿入口Ｘが開いていることで、マグネットバー３が収納部７から落ちにくくなる。特に、前記収納部７の上辺１０又は下辺１１の端部に挿入口Ｘが開いていることが、マグネットバー３の出し入れする作業性の点から最も好ましい。【００２７】  前記収納部７内にはマグネットバー３が収納されている必要がある。収納部７の少なくとも一部の挿入口Ｘからマグネットバー３を出したり、入れたりすることができる。収納部７からマグネットバー３を取り出し、カーテン生地２だけを洗濯することもできる。【００２８】  前記マグネットバー３の少なくとも一部には、該マグネットバー３の一方の面がＮ極、該マグネットバー３の他方の面がＳ極となるように磁石が配置されている。例えば、プラスチックのバーの少なくとも一部だけに小さな磁石が配置されているマグネットバー３、マグネットバー３全面が磁石となっているマグネットバー３等が挙げられる。中でも、プラスチックのバーの少なくとも一部だけに小さな磁石が配置されているマグネットバー３を用いることがより好ましい。また本考案において、一方の面がプラスチック（磁石がくっつかない）で、他方の面が磁石からなるマグネットバーを用いた場合、２つまでならマグネットバー同士をくっつけることができるが、３つ以上マグネットバー同士をくっつけることができないので、用いるのは好ましくない。【００２９】  前記マグネットバー３の前記磁石の向きが前記カーテン生地２の表面側で同じ極になるように収納されている必要がある。当然、前記カーテン生地２の表面側で同じ極になるということは、カーテン生地２の裏面側でも同じ極になることを意味する。例えば、カーテン生地２の表面���をＮ極となるように収納部７にマグネットバー３を収納すると、カーテン生地２の裏面側は、マグネットバー３の磁石の向きはすべてＳ極となる。一番下のマグネットバー３のカーテン生地２の裏面側の磁石のＳ極と、一番下のマグネットバー３の上に位置するマグネットバー３のカーテン生地２の表面側の磁石のＮ極とがくっつき、カーテン生地２を昇降させることができる。同様の作業を繰り返すことで、簡単にカーテン１を昇降させることができる。【００３０】  図３に示すように、前記カーテン生地２の表面側で一番下のマグネットバー３の上部に取手８を備えていることが好ましい。カーテン生地２の表面側で一番下のマグネットバー３の上部に取手８を備えていると、取手８を手で持ちやすく、カーテン生地２を持ち上げてマグネットバー３の磁石同士をくっつけやすくなり、カーテン生地２を昇降させる際の作業性が向上する。取手８を取り付ける位置としては、カーテン生地２の柄に違和感がない箇所を選ぶことが好ましい。また、カーテン生地２と同じ生地を用いて、取手８が入る大きさに袋状に本縫いして、取手８は脱着可能な状態で取り付けても構わないし、カーテン生地２と同じ生地又は紐を用いて脱着不可能な状態で取り付けても構わない。いずれにしても、カーテン生地２を洗濯することができる。【００３１】  取手８とは、手で持ちやすいものであれば、特に限定されるものではないが、例えば、カーテン１と同じ生地、紐、バックル等が挙げられる。【００３２】  前記カーテン生地２の下端部６にプラスチックのバーなどで構成されるカーテンウェイトを挿入することができる袋部があることが好ましい。カーテンウェイトを挿入することで、カーテンの丈方向に均一にテンションをかけることができる。【００３３】  前記カーテン生地２の幅方向Ｗの両端部に、波型の超音波カットを行うことで、洗濯しても、カーテン生地２がほつれにくくなることができる。【００３４】  本考案のカーテン１は、特に限定されるものではないが、小窓に用いることが好ましい。
【実施例】
【００３５】  次に、本考案の具体的実施例について説明するが、本考案はこれら実施例のものに特に限定されるものではない。【００３６】＜使用材料＞
（カーテン生地２）遮光性カーテン（ポリエステル１００％、風通織）
（マグネットバー）（プラスチックのバーに貫通した穴を２個開け、それぞれの穴の中に磁石をプラスチックのバーの一方の面に磁石のＮ極、プラスチックのバーの他方の面に磁石のＳ極がくるような向きで取り付けたバー）
（布帛４）グログランテープ
（接着層）熱圧着テープ
【実施例１】
【００３７】  カーテン生地２の上端部５にポールを挿入する袋部を作成するために、カーテン生地２をカーテンの裏側に折り返してミシンで縫製し、袋部を形成した。次に、グログランテープの上辺の挿入口Ｘとなる部分以外の位置に、熱圧着テープの片方の剥離紙を外して、グラグロンテープと熱圧着テープを貼り付け、アイロン１３０℃設定で固着させた。次に、熱圧着テープのもう片方の剥離紙を外し、カーテン生地の裏面側に貼り付けて、アイロン１３０℃設定でカーテン生地とグラグロンテープを固着させて、収納部７を一つ形成した。次に、取り付けた収納部７の位置からカーテンの丈方向Ｌに離間した位置で、同作業を３回繰り返して、合計４つの収納部７を形成した。次に、収納部７の挿入口Ｘの位置からマグネットバー３をカーテン生地２の表面側で磁石の向きが同じ極になるようにマグネットバー３を挿入し、図１に示すカーテン１を得た。【００３８】  本考案の実施例１のカーテンは、カーテン生地の表面側のミシン目が目立ちにくく、カーテン生地が洗濯可能であると共に、カーテンを昇降させやすいカーテンを得ることができた。
【産業上の利用可能性】
【００３９】  本考案に係るカーテンは、例えば、小窓用のカーテン、収納ボックスのカバーとして好適に用いることができる。
【符号の説明】
【００４０】  １・・・カーテン
２・・・カーテン生地
３・・・マグネットバー
４・・・布帛
５・・・上端部
６・・・下端部
７・・・収納部
８・・・取手
１０・・・収納部の上辺
１１・・・収納部の下辺
Ｘ・・・収納部の挿入口
Ｗ・・・カーテンの幅方向
Ｌ・・・カーテンの丈方向
【図１】
0003228544.tif 000003
【図２】
0003228544.tif 000004
【図３】
0003228544.tif 000005